(57)【特許請求の範囲】
【請求項１】
照射された放射線に応じて放射線画像を撮影する放射線画像撮影装置と、
無線通信により前記放射線画像撮影装置に対して、放射線画像の撮影に関する情報の通信が可能な制御装置と、
前記放射線画像撮影装置へのソフトウエアのインストールを行う第１処理及び前記放射線画像撮影装置へのデータのダウンロードを行う第２処理の少なくとも一方の処理の実行が可能な処理実行装置と、
前記第１処理の処理時間及び前記第２処理の処理時間は、前記放射線画像撮影装置の通信環境の状態及び電源電力の状態の少なくとも一方の状態に応じて予め定められた処理時間以上であって、
前記放射線画像撮影装置に電源電力が供給され、かつ前記第１処理及び前記第２処理の少なくとも一方の処理を有線接続を用いて実行する場合に、前記少なくとも一方の処理を実行させる制御を行う実行制御部と、
を備え、
前記制御装置は、前記少なくとも一方の処理で前記ソフトウエアが用いられる場合は前記ソフトウエアが圧縮された圧縮ソフトを、前記少なくとも一方の処理で前記データが用いられる場合は前記データが圧縮された圧縮データを、前記放射線画像撮影装置に無線通信により送信し、
前記放射線画像撮影装置は、前記制御装置から受信した前記圧縮ソフトまたは前記圧縮データを無線通信または有線通信により前記処理実行装置に送信し、
前記処理実行装置は、前記放射線画像撮影装置から受信した前記圧縮ソフトまたは前記圧縮データを展開する、
放射線画像撮影システム。
【請求項２】
前記実行制御部は、前記放射線画像撮影装置への電源電力の供給が遮断されている場合、及び前記第１処理及び前記第２処理の少なくとも一方の処理を無線通信を用いて実行する場合の少なくとも一方の場合は、前記少なくとも一方の処理の実行を禁止する制御を行う、
請求項１に記載の放射線画像撮影システム。
【請求項３】
前記制御装置が前記少なくとも一方の処理の実行を前記実行制御部に指示し、
前記実行制御部は、前記制御装置から前記指示を受けた場合に、前記少なくとも一方の処理を実行させる制御を行う、
請求項１または請求項２に記載の放射線画像撮影システム。
【請求項４】
前記放射線画像撮影装置には、前記処理実行装置から電源電力が供給される、
請求項１から請求項３のいずれか１項に記載の放射線画像撮影システム。
【請求項５】
前記実行制御部は、前記放射線画像撮影装置及び前記処理実行装置の少なくとも一方に備えられている、
請求項１から請求項４のいずれか１項に記載の放射線画像撮影システム。
【請求項６】
前記実行制御部は、前記少なくとも一方の処理の実行中に、前記放射線画像撮影装置に対する電源電力の供給が遮断された場合は、前記少なくとも一方の処理の実行を無効化させる制御を行う、
請求項１から請求項５のいずれか１項に記載の放射線画像撮影システム。
【請求項７】
処理実行装置によるソフトウエアのインストールを行う第１処理及び前記処理実行装置によるデータのダウンロードを行う第２処理の少なくとも一方の処理の実行が可能とされており、
照射された放射線に応じて放射線画像を撮影する撮影部と、
前記放射線画像の撮影に関する情報を制御装置から無線通信により受信可能な通信部と、
電源部と、
前記第１処理の処理時間及び前記第２処理の処理時間は、自装置の通信環境の状態及び電源電力の状態の少なくとも一方の状態に応じて予め定められた処理時間以上であって、放射線画像撮影装置に電源電力が供給され、かつ前記第１処理及び前記第２処理の少なくとも一方の処理を有線接続を用いて実行する場合に、前記少なくとも一方の処理を実行させる制御を行う実行制御部と、
を備え、
前記通信部は、前記少なくとも一方の処理で前記ソフトウエアが用いられる場合は前記ソフトウエアが圧縮された圧縮ソフトを、前記少なくとも一方の処理で前記データが用いられる場合は前記データが圧縮された圧縮データを、前記制御装置から無線通信により受信し、さらに、前記処理実行装置に前記圧縮ソフトまたは前記圧縮データを展開させるために、前記圧縮ソフトまたは前記圧縮データを前記処理実行装置に送信する、
放射線画像撮影装置。
【請求項８】
放射線画像撮影装置へのソフトウエアのインストールを行う第１処理及び前記放射線画像撮影装置へのデータのダウンロードを行う第２処理の少なくとも一方の処理の実行が可能な実行部と、
前記第１処理の処理時間及び前記第２処理の処理時間は、前記放射線画像撮影装置の通信環境の状態及び電源電力の状態の少なくとも一方の状態に応じて予め定められた処理時間以上であって、前記放射線画像撮影装置に電源電力が供給され、かつ前記第１処理及び前記第２処理の少なくとも一方の処理を有線接続を用いて実行する場合に、前記少なくとも一方の処理を実行させる制御を行う実行制御部と、
を備え、
前記実行部は、前記少なくとも一方の処理で前記ソフトウエアが用いられる場合は前記ソフトウエアが圧縮された圧縮ソフトを、前記少なくとも一方の処理で前記データが用いられる場合は前記データが圧縮された圧縮データを展開する処理実行装置。
【請求項９】
照射された放射線に応じて放射線画像を撮影する放射線画像撮影装置と、無線通信により前記放射線画像撮影装置に対して、放射線画像の撮影に関する情報の通信が可能な制御装置と、前記放射線画像撮影装置へのソフトウエアのインストールを行う第１処理及び前記放射線画像撮影装置へのデータのダウンロードを行う第２処理の少なくとも一方の処理の実行が可能な処理実行装置と、を備えた放射線画像撮影システムの制御方法であって、
前記第１処理の処理時間及び前記第２処理の処理時間は、前記放射線画像撮影装置の通信環境の状態及び電源電力の状態の少なくとも一方の状態に応じて予め定められた処理時間以上であって、前記放射線画像撮影装置に電源電力が供給され、かつ前記第１処理及び前記第２処理の少なくとも一方の処理を有線接続を用いて実行する場合に、前記少なくとも一方の処理を実行させる制御を行う、
ことを含む処理をコンピュータに実行させ、
前記少なくとも一方の処理は、当該少なくとも一方の処理で前記ソフトウエアが用いられる場合は前記ソフトウエアが圧縮された圧縮ソフトを、当該少なくとも一方の処理で前記データが用いられる場合は前記データが圧縮された圧縮データを展開した上で実行される放射線画像撮影システムの制御方法。
【請求項１０】
処理実行装置によるソフトウエアのインストールを行う第１処理及び前記処理実行装置によるデータのダウンロードを行う第２処理の少なくとも一方の処理の実行が可能とされており、照射された放射線に応じて放射線画像を撮影する撮影部と、前記放射線画像の撮影に関する情報を制御装置から無線通信により受信可能な通信部と、電源部と、を備えた放射線画像撮影装置の制御方法であって、
前記第１処理の処理時間及び前記第２処理の処理時間は、前記放射線画像撮影装置の通信環境の状態及び電源電力の状態の少なくとも一方の状態に応じて予め定められた処理時間以上であって、前記放射線画像撮影装置に電源電力が供給され、かつ前記第１処理及び前記第２処理の少なくとも一方の処理を有線接続を用いて実行する場合に、前記少なくとも一方の処理を実行させる制御を行う、
ことを含む処理をコンピュータに実行させ、
前記少なくとも一方の処理は、当該少なくとも一方の処理で前記ソフトウエアが用いられる場合は前記ソフトウエアが圧縮された圧縮ソフトを、当該少なくとも一方の処理で前記データが用いられる場合は前記データが圧縮された圧縮データを展開した上で実行される放射線画像撮影装置の制御方法。
【請求項１１】
放射線画像撮影装置と通信を行う通信部と、前記放射線画像撮影装置へのソフトウエアのインストールを行う第１処理及び前記放射線画像撮影装置へのデータのダウンロードを行う第２処理の少なくとも一方の処理の実行が可能な実行部と、を備えた処理実行装置の制御方法であって、
前記第１処理の処理時間及び前記第２処理の処理時間は、前記放射線画像撮影装置の通信環境の状態及び電源電力の状態の少なくとも一方の状態に応じて予め定められた処理時間以上であって、前記放射線画像撮影装置に電源電力が供給され、かつ前記第１処理及び前記第２処理の少なくとも一方の処理を有線接続を用いて実行する場合に、前記少なくとも一方の処理を実行させる制御を行う、
ことを含む処理をコンピュータに実行させ、
前記少なくとも一方の処理は、当該少なくとも一方の処理で前記ソフトウエアが用いられる場合は前記ソフトウエアが圧縮された圧縮ソフトを、当該少なくとも一方の処理で前記データが用いられる場合は前記データが圧縮された圧縮データを展開した上で実行される処理実行装置の制御方法。
【請求項１２】
照射された放射線に応じて放射線画像を撮影する放射線画像撮影装置と、無線通信により前記放射線画像撮影装置に対して、放射線画像の撮影に関する情報の通信が可能な制御装置と、前記放射線画像撮影装置へのソフトウエアのインストールを行う第１処理及び前記放射線画像撮影装置へのデータのダウンロードを行う第２処理の少なくとも一方の処理の実行が可能な処理実行装置と、を備えた放射線画像撮影システムの制御プログラムであって、
前記第１処理の処理時間及び前記第２処理の処理時間は、前記放射線画像撮影装置の通信環境の状態及び電源電力の状態の少なくとも一方の状態に応じて予め定められた処理時間以上であって、前記放射線画像撮影装置に電源電力が供給され、かつ前記第１処理及び前記第２処理の少なくとも一方の処理を有線接続を用いて実行する場合に、前記少なくとも一方の処理を実行させる制御を行う、
ことを含む処理をコンピュータに実行させ、
前記少なくとも一方の処理は、当該少なくとも一方の処理で前記ソフトウエアが用いられる場合は前記ソフトウエアが圧縮された圧縮ソフトを、当該少なくとも一方の処理で前記データが用いられる場合は前記データが圧縮された圧縮データを展開した上で実行される放射線画像撮影システムの制御プログラム。
【請求項１３】
処理実行装置によるソフトウエアのインストールを行う第１処理及び前記処理実行装置によるデータのダウンロードを行う第２処理の少なくとも一方の処理の実行が可能とされており、照射された放射線に応じて放射線画像を撮影する撮影部と、前記放射線画像の撮影に関する情報を制御装置から無線通信により受信可能な通信部と、電源部と、を備えた放射線画像撮影装置の制御プログラムであって、
前記第１処理の処理時間及び前記第２処理の処理時間は、前記放射線画像撮影装置の通信環境の状態及び電源電力の状態の少なくとも一方の状態に応じて予め定められた処理時間以上であって、前記放射線画像撮影装置に電源電力が供給され、かつ前記第１処理及び前記第２処理の少なくとも一方の処理を有線接続を用いて実行する場合に、前記少なくとも一方の処理を実行させる制御を行う、
ことを含む処理をコンピュータに実行させ、
前記少なくとも一方の処理は、当該少なくとも一方の処理で前記ソフトウエアが用いられる場合は前記ソフトウエアが圧縮された圧縮ソフトを、当該少なくとも一方の処理で前記データが用いられる場合は前記データが圧縮された圧縮データを展開した上で実行される放射線画像撮影装置の制御プログラム。
【請求項１４】
放射線画像撮影装置と通信を行う通信部と、前記放射線画像撮影装置へのソフトウエアのインストールを行う第１処理及び前記放射線画像撮影装置へのデータのダウンロードを行う第２処理の少なくとも一方の処理の実行が可能な実行部と、を備えた処理実行装置の制御プログラムであって、
前記第１処理の処理時間及び前記第２処理の処理時間は、前記放射線画像撮影装置の通信環境の状態及び電源電力の状態の少なくとも一方の状態に応じて予め定められた処理時間以上であって、前記放射線画像撮影装置に電源電力が供給され、かつ前記第１処理及び前記第２処理の少なくとも一方の処理を有線接続を用いて実行する場合に、前記少なくとも一方の処理を実行させる制御を行う、
ことを含む処理をコンピュータに実行させ、
前記少なくとも一方の処理は、当該少なくとも一方の処理で前記ソフトウエアが用いられる場合は前記ソフトウエアが圧縮された圧縮ソフトを、当該少なくとも一方の処理で前記データが用いられる場合は前記データが圧縮された圧縮データを展開した上で実行される処理実行装置の制御プログラム。
【発明の詳細な説明】
【技術分野】
【０００１】
本発明は、放射線画像撮影システム、放射線画像撮影装置、処理実行装置、放射線画像撮影システムの制御方法、放射線画像撮影装置の制御方法、処理実行装置の制御方法、放射線画像撮影システムの制御プログラム、放射線画像撮影装置の制御プログラム、及び処理実行装置の制御プログラムに関する。
【背景技術】
【０００２】
従来、被写体を撮影する放射線画像撮影装置として、例えば医療診断を目的とした撮影を行う放射線画像撮影装置が知られている。放射線画像撮影装置には、放射線画像の撮影の実行や、撮影された放射線画像に対する画像処理等を行うために用いるソフトウエアや各種データが格納されている。放射線画像撮影装置が用いるこれらのソフトウエアや各種データは、更新が必要になる場合がある。
【０００３】
そのため、放射線画像撮影装置に対してソフトウエアのインストールまたはデータのダウンロードを行う技術として、例えば特許文献１には、制御装置が放射線画像撮影装置のソフトウエアのバージョンを更新する技術が記載されている。また例えば、特許文献２には、充電機能を有するクレードルが放射線画像撮影装置に放射線画像を補正する補正データを設定する技術が記載されている。
【先行技術文献】
【特許文献】
【０００４】
【特許文献１】特開２０１３−１１３８４８号公報
【特許文献２】特開２０１２−１２０７２４号公報
【発明の概要】
【発明が解決しようとする課題】
【０００５】
しかしながら、上記技術では、放射線画像撮影装置に対してソフトウエアのインストールまたはデータのダウンロードにかかる時間が比較的長い場合、安定してインストールが行えない場合がある。
【０００６】
本発明は、放射線画像撮影装置に対するソフトウエアのインストールまたはデータのダウンロードに比較的長い時間を要する場合でも、安定してインストールまたはダウンロードができることを目的とする。
【課題を解決するための手段】
【０００７】
上記課題を解決するため、本発明の放射線画像撮影システムは、照射された放射線に応じて放射線画像を撮影する放射線画像撮影装置と、無線通信により前記放射線画像撮影装置に対して、放射線画像の撮影に関する情報の通信が可能な制御装置と、前記放射線画像撮影装置へのソフトウエアのインストールを行う第１処理及び前記放射線画像撮影装置へのデータのダウンロードを行う第２処理の少なくとも一方の処理の実行が可能な処理実行装置と、前記第１処理の処理時間及び前記第２処理の処理時間は、前記放射線画像撮影装置の通信環境の状態及び電源電力の状態の少なくとも一方の状態に応じて予め定められた処理時間以上であって、前記放射線画像撮影装置に電源電力が供給され、かつ前記第１処理及び前記第２処理の少なくとも一方の処理を有線接続を用いて実行する場合に、前記少なくとも一方の処理を実行させる制御を行う実行制御部と、を備え、前記制御装置は、前記少なくとも一方の処理で前記ソフトウエアが用いられる場合は前記ソフトウエアが圧縮された圧縮ソフトを、前記少なくとも一方の処理で前記データが用いられる場合は前記データが圧縮された圧縮データを、前記放射線画像撮影装置に無線通信により送信し、前記放射線画像撮影装置は、前記制御装置から受信した前記圧縮ソフトまたは前記圧縮データを無線通信または有線通信により前記処理実行装置に送信し、前記処理実行装置は、前記放射線画像撮影装置から受信した前記圧縮ソフトまたは前記圧縮データを展開する。
【０００８】
また、本発明の放射線画像撮影システムの実行制御部は、放射線画像撮影装置への電源電力の供給が遮断されている場合、及び第１処理及び第２処理の少なくとも一方の処理を無線通信を用いて実行する場合の少なくとも一方の場合は、少なくとも一方の処理の実行を禁止する制御を行ってもよい。
【０００９】
また、本発明の放射線画像撮影システムは、制御装置が少なくとも一方の処理の実行を実行制御部に指示し、実行制御部は、制御装置から指示を受けた場合に、少なくとも一方の処理を実行させる制御を行ってもよい。
【００１２】
また、本発明の放射線画像撮影システムの放射線画像撮影装置には、処理実行装置から電源電力が供給されてもよい。
【００１３】
また、本発明の放射線画像撮影システムの実行制御部は、放射線画像撮影装置及び処理実行装置の少なくとも一方に備えられていてもよい。
【００１４】
また、本発明の放射線画像撮影システムの実行制御部は、実行制御部は、少なくとも一方の処理の実行中に、放射線画像撮影装置に対する電源電力の供給が遮断された場合は、少なくとも一方の処理の実行を無効化させる制御を行う。
【００１５】
本発明の放射線画像撮影装置は、処理実行装置によるソフトウエアのインストールを行う第１処理及び前記処理実行装置によるデータのダウンロードを行う第２処理の少なくとも一方の処理の実行が可能とされており、照射された放射線に応じて放射線画像を撮影する撮影部と、前記放射線画像の撮影に関する情報を制御装置から無線通信により受信可能な通信部と、電源部と、前記第１処理の処理時間及び前記第２処理の処理時間は、自装置の通信環境の状態及び電源電力の状態の少なくとも一方の状態に応じて予め定められた処理時間以上であって、放射線画像撮影装置に電源電力が供給され、かつ前記第１処理及び前記第２処理の少なくとも一方の処理を有線接続を用いて実行する場合に、前記少なくとも一方の処理を実行させる制御を行う実行制御部と、を備え、前記通信部は、前記少なくとも一方の処理で前記ソフトウエアが用いられる場合は前記ソフトウエアが圧縮された圧縮ソフトを、前記少なくとも一方の処理で前記データが用いられる場合は前記データが圧縮された圧縮データを、前記制御装置から無線通信により受信し、さらに、前記処理実行装置に前記圧縮ソフトまたは前記圧縮データを展開させるために、前記圧縮ソフトまたは前記圧縮データを前記処理実行装置に送信する。
【００１６】
本発明の処理実行装置は、放射線画像撮影装置へのソフトウエアのインストールを行う第１処理及び前記放射線画像撮影装置へのデータのダウンロードを行う第２処理の少なくとも一方の処理の実行が可能な実行部と、前記第１処理の処理時間及び前記第２処理の処理時間は、前記放射線画像撮影装置の通信環境の状態及び電源電力の状態の少なくとも一方の状態に応じて予め定められた処理時間以上であって、前記放射線画像撮影装置に電源電力が供給され、かつ前記第１処理及び前記第２処理の少なくとも一方の処理を有線接続を用いて実行する場合に、前記少なくとも一方の処理を実行させる制御を行う実行制御部と、を備え、前記実行部は、前記少なくとも一方の処理で前記ソフトウエアが用いられる場合は前記ソフトウエアが圧縮された圧縮ソフトを、前記少なくとも一方の処理で前記データが用いられる場合は前記データが圧縮された圧縮データを展開する。
【００１７】
本発明の放射線画像撮影システムの制御方法は、照射された放射線に応じて放射線画像を撮影する放射線画像撮影装置と、無線通信により前記放射線画像撮影装置に対して、放射線画像の撮影に関する情報の通信が可能な制御装置と、前記放射線画像撮影装置へのソフトウエアのインストールを行う第１処理及び前記放射線画像撮影装置へのデータのダウンロードを行う第２処理の少なくとも一方の処理の実行が可能な処理実行装置と、を備えた放射線画像撮影システムの制御方法であって、前記第１処理の処理時間及び前記第２処理の処理時間は、前記放射線画像撮影装置の通信環境の状態及び電源電力の状態の少なくとも一方の状態に応じて予め定められた処理時間以上であって、前記放射線画像撮影装置に電源電力が供給され、かつ前記第１処理及び前記第２処理の少なくとも一方の処理を有線接続を用いて実行する場合に、前記少なくとも一方の処理を実行させる制御を行う、
ことを含む処理をコンピュータに実行させ、前記少なくとも一方の処理は、当該少なくとも一方の処理で前記ソフトウエアが用いられる場合は前記ソフトウエアが圧縮された圧縮ソフトを、当該少なくとも一方の処理で前記データが用いられる場合は前記データが圧縮された圧縮データを展開した上で実行される。
【００１８】
放射線画像撮影装置の制御方法は、処理実行装置によるソフトウエアのインストールを行う第１処理及び前記処理実行装置によるデータのダウンロードを行う第２処理の少なくとも一方の処理の実行が可能とされており、照射された放射線に応じて放射線画像を撮影する撮影部と、前記放射線画像の撮影に関する情報を制御装置から無線通信により受信可能な通信部と、電源部と、を備えた放射線画像撮影装置の制御方法であって、前記第１処理の処理時間及び前記第２処理の処理時間は、前記放射線画像撮影装置の通信環境の状態及び電源電力の状態の少なくとも一方の状態に応じて予め定められた処理時間以上であって、前記放射線画像撮影装置に電源電力が供給され、かつ前記第１処理及び前記第２処理の少なくとも一方の処理を有線接続を用いて実行する場合に、前記少なくとも一方の処理を実行させる制御を行う、ことを含む処理をコンピュータに実行させ、前記少なくとも一方の処理は、当該少なくとも一方の処理で前記ソフトウエアが用いられる場合は前記ソフトウエアが圧縮された圧縮ソフトを、当該少なくとも一方の処理で前記データが用いられる場合は前記データが圧縮された圧縮データを展開した上で実行される。
【００１９】
本発明の処理実行装置の制御方法は、放射線画像撮影装置と通信を行う通信部と、前記放射線画像撮影装置へのソフトウエアのインストールを行う第１処理及び前記放射線画像撮影装置へのデータのダウンロードを行う第２処理の少なくとも一方の処理の実行が可能な実行部と、を備えた処理実行装置の制御方法であって、前記第１処理の処理時間及び前記第２処理の処理時間は、前記放射線画像撮影装置の通信環境の状態及び電源電力の状態の少なくとも一方の状態に応じて予め定められた処理時間以上であって、前記放射線画像撮影装置に電源電力が供給され、かつ前記第１処理及び前記第２処理の少なくとも一方の処理を有線接続を用いて実行する場合に、前記少なくとも一方の処理を実行させる制御を行う、ことを含む処理をコンピュータに実行させ、前記少なくとも一方の処理は、当該少なくとも一方の処理で前記ソフトウエアが用いられる場合は前記ソフトウエアが圧縮された圧縮ソフトを、当該少なくとも一方の処理で前記データが用いられる場合は前記データが圧縮された圧縮データを展開した上で実行される。
【００２０】
本発明の放射線画像撮影システムの制御プログラムは、照射された放射線に応じて放射線画像を撮影する放射線画像撮影装置と、無線通信により前記放射線画像撮影装置に対して、放射線画像の撮影に関する情報の通信が可能な制御装置と、前記放射線画像撮影装置へのソフトウエアのインストールを行う第１処理及び前記放射線画像撮影装置へのデータのダウンロードを行う第２処理の少なくとも一方の処理の実行が可能な処理実行装置と、を備えた放射線画像撮影システムの制御プログラムであって、
前記第１処理の処理時間及び前記第２処理の処理時間は、前記放射線画像撮影装置の通信環境の状態及び電源電力の状態の少なくとも一方の状態に応じて予め定められた処理時間以上であって、前記放射線画像撮影装置に電源電力が供給され、かつ前記第１処理及び前記第２処理の少なくとも一方の処理を有線接続を用いて実行する場合に、前記少なくとも一方の処理を実行させる制御を行う、ことを含む処理をコンピュータに実行させ、前記少なくとも一方の処理は、当該少なくとも一方の処理で前記ソフトウエアが用いられる場合は前記ソフトウエアが圧縮された圧縮ソフトを、当該少なくとも一方の処理で前記データが用いられる場合は前記データが圧縮された圧縮データを展開した上で実行される。
【００２１】
本発明の放射線画像撮影装置の制御プログラムは、処理実行装置によるソフトウエアのインストールを行う第１処理及び前記処理実行装置によるデータのダウンロードを行う第２処理の少なくとも一方の処理の実行が可能とされており、照射された放射線に応じて放射線画像を撮影する撮影部と、前記放射線画像の撮影に関する情報を制御装置から無線通信により受信可能な通信部と、電源部と、を備えた放射線画像撮影装置の制御プログラムであって、前記第１処理の処理時間及び前記第２処理の処理時間は、前記放射線画像撮影装置の通信環境の状態及び電源電力の状態の少なくとも一方の状態に応じて予め定められた処理時間以上であって、前記放射線画像撮影装置に電源電力が供給され、かつ前記第１処理及び前記第２処理の少なくとも一方の処理を有線接続を用いて実行する場合に、前記少なくとも一方の処理を実行させる制御を行う、ことを含む処理をコンピュータに実行させ、前記少なくとも一方の処理は、当該少なくとも一方の処理で前記ソフトウエアが用いられる場合は前記ソフトウエアが圧縮された圧縮ソフトを、当該少なくとも一方の処理で前記データが用いられる場合は前記データが圧縮された圧縮データを展開した上で実行される。
【００２２】
本発明の処理実行装置の制御プログラムは、放射線画像撮影装置と通信を行う通信部と、前記放射線画像撮影装置へのソフトウエアのインストールを行う第１処理及び前記放射線画像撮影装置へのデータのダウンロードを行う第２処理の少なくとも一方の処理の実行が可能な実行部と、を備えた処理実行装置の制御プログラムであって、前記第１処理の処理時間及び前記第２処理の処理時間は、前記放射線画像撮影装置の通信環境の状態及び電源電力の状態の少なくとも一方の状態に応じて予め定められた処理時間以上であって、前記放射線画像撮影装置に電源電力が供給され、かつ前記第１処理及び前記第２処理の少なくとも一方の処理を有線接続を用いて実行する場合に、前記少なくとも一方の処理を実行させる制御を行う、ことを含む処理をコンピュータに実行させ、前記少なくとも一方の処理は、当該少なくとも一方の処理で前記ソフトウエアが用いられる場合は前記ソフトウエアが圧縮された圧縮ソフトを、当該少なくとも一方の処理で前記データが用いられる場合は前記データが圧縮された圧縮データを展開した上で実行される。
【発明の効果】
【００２３】
本発明によれば、放射線画像撮影装置に対するソフトウエアのインストールまたはデータのダウンロードに比較的長い時間を要する場合でも、安定してインストールまたはダウンロードができる、という効果が得られる。
【図面の簡単な説明】
【００２４】
【図１】第１の実施の形態の放射線画像撮影システムの一例を示す概略構成図である。
【図２】第１の実施の形態の携帯情報端末装置、放射線画像撮影装置、及び収納装置の電気的な構成の一例を示すブロック図である。
【図３】第１の実施の形態の放射線画像撮影システムにおける更新ソフトをインストールするためのデータ（更新ソフト）の流れを表した概念図を示す。
【図４】第１の実施の形態の携帯情報端末装置の端末制御部によって実行される端末装置処理の流れの一例を表したフローチャートである。
【図５】第１の実施の形態の放射線画像撮影装置の撮影制御部によって実行される撮影装置処理の流れの一例を表したフローチャートである。
【図６】第１の実施の形態の収納装置の収納制御部によって実行される収納装置処理の流れの一例を表したフローチャートである。
【図７】本変形例における放射線画像撮影装置の撮影制御部によって実行される撮影装置処理の流れの一例を表したフローチャートである。
【図８】本変形例における収納装置の収納制御部によって実行される収納装置処理の流れの一例を表したフローチャートである。
【図９】第２の実施の形態の携帯情報端末装置、放射線画像撮影装置、及び収納装置の電気的な構成の一例を示すブロック図である。
【図１０】第２の実施の形態の放射線画像撮影システムにおける更新ソフトをインストールするためのデータ（更新ソフト）の流れを表した概念図を示す。
【図１１】第２の実施の形態の携帯情報端末装置の端末制御部によって実行される端末装置処理の流れの一例を表したフローチャートである。
【図１２】第２の実施の形態の放射線画像撮影装置の撮影制御部によって実行される撮影装置処理の流れの一例を表したフローチャートである。
【図１３】第２の実施の形態の収納装置の収納制御部によって実行される収納装置処理の流れの一例を表したフローチャートである。
【図１４】第３の実施の形態の放射線画像撮影システムの一例を示す概略構成図である。
【図１５】第３の実施の形態の携帯情報端末装置、放射線画像撮影装置、及び収納装置の電気的な構成の一例を示すブロック図である。
【図１６】第３の実施の形態の放射線画像撮影システムにおける更新ソフトをインストールするためのデータ（更新ソフト）の流れを表した概念図を示す。
【図１７】第３の実施の形態の放射線画像撮影装置の撮影制御部によって実行される第１撮影装置処理の流れの一例を表したフローチャートである。
【図１８】第３の実施の形態の充電装置の充電制御部によって実行される充電装置処理の流れの一例を表したフローチャートである。
【図１９】第３の実施の形態の放射線画像撮影装置の撮影制御部によって実行される第２撮影装置処理の流れの一例を表したフローチャートである。
【図２０】第１の実施の形態の放射線画像撮影装置１４で実行される撮影装置処理の流れのその他の一例を表したフローチャートである。
【発明を実施するための形態】
【００２５】
以下、各図面を参照して本発明に係る実施の形態を説明する。なお、図面において同一機能を有する部分には同一符号が付されており、重複する説明は適宜、省略する。
【００２６】
［第１の実施の形態］
本実施の形態では、本発明の少なくとも一方の処理の処理時間が予め定められた処理時間以上である処理の一例として、ソフトウエア（以下、「ソフト」という）を収納装置が放射線画像撮影装置にインストールする場合について説明する。特に本実施の形態では、インストールされることにより、放射線画像撮影装置が自装置の制御に用いるファームウエア等のソフトが更新される更新用のソフト（以下、「更新ソフト」という）を放射線画像撮影装置にインストールする場合について説明する。
【００２７】
まず、本実施の形態の放射線画像撮影システムの構成について説明する。図１は、本実施の形態の放射線画像撮影システム１０の一例を示す概略構成図である。なお、図１では、放射線画像撮影装置１４に更新ソフトをインストールする場合における放射線画像撮影システム１０の概略構成を示している。
【００２８】
放射線画像撮影システム１０は、携帯情報端末装置１２、放射線画像撮影装置１４、及び収納装置１６を備えている。
【００２９】
本実施の形態では、被写体の放射線画像の撮影を行う場合、図示を省略したコンソールが、放射線画像撮影装置１４に対して放射線画像を撮影するための制御を行う。本実施の形態の携帯情報端末装置１２は、本発明の制御装置の一例として機能し、放射線画像の撮影を行う上でのコンソールの補助的機能を有している。携帯情報端末装置１２は、例えば、技師等のユーザに撮影に関する情報を表示したり、放射線画像を撮影するための制御の一部を行ったりする機能等を有している。本実施の形態の携帯情報端末装置１２は、内蔵の電源部（図２電源部４８参照）により駆動可能なものであって、いわゆるＰＤＡ（Personal Digital Assistants）と呼ばれる可搬型の端末装置であり、具体例としては、タブレット端末装置や、スマートフォン等が挙げられる。
【００３０】
本実施の形態では、携帯情報端末装置１２と、放射線画像撮影装置１４との間では、無線通信により通信が行われる。本実施の形態において無線通信による通信される情報は、携帯情報端末装置１２が、放射線画像を撮影するための制御を放射線画像撮影装置１４に対して行う場合に用いられる情報、及び比較的容量の少ない情報（データ）がある。比較的容量の少ない情報とは、例えば、圧縮されたソフトのデータや、放射線画像撮影装置１４の各種設定内容（通信に用いるアドレス等）のデータ等である。なお、本実施の形態において「比較的容量の少ない」とは、通信に要する時間が予め定められた処理時間（詳細後述）以上となるデータの容量に対して、容量が少ないことをいう。
【００３１】
放射線画像の撮影を行う場合、コンソールの制御に基づいて、図示を省略した放射線照射装置から放射線が被写体に向けて照射される。放射線画像撮影装置１４は、コンソールの制御に基づいて、被写体を透過した放射線を検出する本発明の撮影部の一例である放射線検出器４２（図２参照）を用いて被写体の放射線画像を撮影する機能を有している。本実施の形態では、放射線画像撮影装置１４として電子カセッテを用いている。
【００３２】
本実施の形態の収納装置１６は、本発明の処理実行装置の一例として機能するクレードルであり、放射線画像の撮影を行わない場合に、放射線画像撮影装置１４を収納する機能を有している。収納装置１６に放射線画像撮影装置１４が収納されると、収納装置１６の接続部７８と、放射線画像撮影装置１４の接続部５８とが接続される。本実施の形態の接続部７８及び接続部５８は、いわゆるコネクタであり、放射線画像撮影装置１４が収納装置１６の凹部に挿入されて、収納装置１６の接続部７８に放射線画像撮影装置１４の接続部５８が機械的に接続されることにより、収納装置１６から放射線画像撮影装置１４へ電源電力が供給され、また、放射線画像撮影装置１４と収納装置１６との間で有線通信が可能になる。なお、図１に示すように、本実施の形態では、接続部７８として雄型のコネクタを適用し、接続部５８として雌型のコネクタを適用している。これにより、放射線画像撮影装置１４にコネクタによる突起が生じないため、放射線画像撮影装置１４の取り扱い性が向上する。
【００３３】
なお、本実施の形態における「有線通信」とは、このように放射線画像撮影装置１４の接続部５８と収納装置１６の接続部７８とが直接接続されて行われる通信の他、放射線画像撮影装置１４と収納装置１６とが、ケーブルで接続されて行われる通信を含む。
【００３４】
なお、本実施の形態の収納装置１６と放射線画像撮影装置１４との間の通信は有線通信に限らず、無線通信も可能である。
【００３５】
放射線画像撮影装置１４に更新ソフトをインストールする場合、本実施の形態の放射線画像撮影システム１０では、携帯情報端末装置１２が外部装置１からネットワーク回線２を介して圧縮された状態の更新ソフト（本発明の圧縮ソフトの一例）を取得する。なお、本実施の形態において外部装置１は、特に限定されるものではなく、例えば、放射線画像撮影システム１０が設けられた病院内のＲＩＳ（Radiology Information System）や、病院外に設けられた装置等が挙げられる。
【００３６】
本実施の形態の放射線画像撮影システム１０では、携帯情報端末装置１２と外部装置１との間の通信は、ネットワーク２を介した無線通信により行う。本実施の形態において無線通信の通信方式は特に限定されず、例えば、ＷｉＦｉ（Wireless Fidelity）、無線ＬＡＮ（Local Area Network）回線、Bluetooth（登録商標）、及び３Ｇ（3rd Generation）回線等を用いた方式が挙げられる。
【００３７】
本実施の形態の携帯情報端末装置１２は、放射線画像撮影装置１４と無線通信を行うものである。携帯情報端末装置１２は、圧縮された状態の更新ソフトを無線通信で放射線画像撮影装置１４に送信する。放射線画像撮影装置１４は、圧縮された状態の更新ソフトを有線通信または無線通信で収納装置１６に送信する。収納装置１６は、圧縮された状態の更新ソフトを展開し、放射線画像撮影装置１４に有線通信でインストールする。
【００３８】
次に、携帯情報端末装置１２、放射線画像撮影装置１４、及び収納装置１６の各機能について詳細に説明する。図２は、放射線画像撮影システム１０の携帯情報端末装置１２、放射線画像撮影装置１４、及び収納装置１６の電気的な構成の一例を示すブロック図である。
【００３９】
本実施の形態の携帯情報端末装置１２は、端末制御部２０、記憶部２２、ドライバ２４、表示部２６、操作入力検出部２８、操作部３０、及び通信部３２を備えている。端末制御部２０、記憶部２２、ドライバ２４、操作入力検出部２８、及び通信部３２は、システムバスやコントロールバス等のバス３５を介して相互に各種情報の授受が可能に接続されている。
【００４０】
端末制御部２０は、携帯情報端末装置１２の全体の動作を制御する機能を有している。また、端末制御部２０は、通信部３２を介してコンソールや外部装置１等から放射線画像撮影装置１４のソフトの更新に関する情報や更新ソフト等を取得する機能を有している。
【００４１】
端末制御部２０は、ＣＰＵ（Central Processing Unit）、ＲＯＭ（Read Only Memory）、ＲＡＭ（Random Access Memory）、及びＨＤＤ（Hard disk drive）を備えている。ＲＯＭには、ＣＰＵで実行される各種の処理プログラム等が予め記憶されている。ＲＡＭは、各種データを一時的に記憶する機能を有している。
【００４２】
また、表示部２６は、各種情報を表示する機能を有している。ドライバ２４は、表示部２６への各種情報の表示を制御する機能を有している。
【００４３】
操作部３０は、放射線画像の撮影及び更新ソフトのインストールに関する指示や各種情報等を、ユーザが入力するために用いられる。操作部３０は、特に限定されるものではなく、例えば、タッチパネル、タッチペン、複数のキー、及びマウス等が挙げられる。なお、操作部３０をタッチパネルとする場合は、表示部２６と一体化してもよい。操作入力検出部２８は、操作部３０に対する操作状態を検出する機能を有している。
【００４４】
通信部３２は、無線通信により、放射線画像撮影装置１４や外部装置１、及びコンソールとの間で各種情報の通信を行う機能を有している。
【００４５】
記憶部２２には、外部装置１から取得した更新ソフト等が記憶される。記憶部２２の具体例としては、ＳＳＤ（Solid State Drive）等が挙げられる。
【００４６】
一方、本実施の形態の放射線画像撮影装置１４は、撮影制御部４０、放射線検出器４２、記憶部４４、通信部４６、電源部４８、操作入力検出部５０、操作ボタン５２、ドライバ５４、表示部５６、及び接続部５８を備えている。撮影制御部４０、放射線検出器４２、記憶部４４、通信部４６、電源部４８、操作入力検出部５０、及びドライバ５４は、システムバスやコントロールバス等のバス５７を介して相互に各種情報の授受が可能に接続されている。
【００４７】
本実施の形態の放射線画像撮影装置１４は、被写体を透過した放射線に応じた放射線画像を撮影する機能を有していれば、特に限定されない。例えば、放射線照射装置（図示省略）と非同期に、放射線の照射開始を自装置で検出して、放射線画像の撮影を行うものであってもよい。
【００４８】
放射線検出器４２は、撮影制御部４０の制御により、被写体を透過した放射線を検出する機能を有している。本実施の形態の放射線検出器４２は、特に限定されず、例えば、放射線を光に変換し、変換した光を電荷に変換する間接変換方式の放射線検出器であってもよいし、放射線を直接電荷に変換する直接変換方式の放射線検出器であってもよい。
【００４９】
撮影制御部４０は、放射線画像撮影装置１４の全体の動作を制御する機能を有している。撮影制御部４０は、ＣＰＵ、ＲＯＭ、ＲＡＭ、及びＨＤＤを備えている。本実施の形態のＲＯＭはフラッシュメモリ等の書き換え可能なＲＯＭであり、ＣＰＵで実行される各種の処理プログラム等が予め記憶されている。ＲＡＭは、各種データを一時的に記憶する機能を有している。ＨＤＤは、各種データを記憶して保持する機能を有している。なお、ＨＤＤは、ＳＳＤであってもよく、また、記憶部４４と兼用してもよい。
【００５０】
また、撮影制御部４０は、ＲＯＭに記憶され、ＣＰＵで実行されるプログラムを含むソフトを更新するための機能を有している。
【００５１】
記憶部４４には、携帯情報端末装置１２から受信した圧縮された更新ソフトが一時的に記憶される他、撮影された放射線画像の画像データ等、各種情報が記憶される。記憶部４４の具体例としては、ＳＳＤ等が挙げられる。
【００５２】
通信部４６は、無線通信により、携帯情報端末装置１２やコンソールとの間で各種情報の通信を行う機能を有している。また、通信部４６は、有線通信及び無線通信により収納装置１６と通信を行う機能を有している。
【００５３】
本実施の形態の電源部４８は、収納装置１６から供給される電力により充電され、上述の放射線検出器４２等の駆動用の電力を要する各部に電力を供給する機能を有している。本実施の形態の電源部４８は、二次電池を用いている。なお、図２では、電源部４８から放射線検出器４２等の各部に対して電力を供給するための接続線の記載は省略している。
【００５４】
操作ボタン５２は、更新ソフトのインストールに関する指示をユーザが行うために用いられる。操作入力検出部５０は、操作ボタン５２に対する操作状態を検出する機能を有している。
【００５５】
表示部５６は、ソフトの更新に関する各種情報を表示する機能を有している。本実施の形態では、表示部５６として、ＬＥＤ（Light Emitting Diode）を用いている。なお、表示部５５は、ＬＥＤに限らず、例えば、液晶ディスプレイ等であってもよい。ドライバ５４は、表示部５６への各種情報の表示を制御する機能を有している。
【００５６】
一方、本実施の形態の収納装置１６は、収納制御部６０、記憶部６２、電源回路部６４、通信部６６、固定部７２、及び接続部７８を備えている。収納制御部６０、記憶部６２、電源回路部６４、通信部６６、及び固定部７２は、システムバスやコントロールバス等のバス７７を介して相互に各種情報の授受が可能に接続されている。
【００５７】
収納制御部６０は、本発明の実行部の一例として機能し、収納装置１６の全体の動作を制御する機能を有しており、ＣＰＵ、ＲＯＭ、及びＲＡＭを備えている。ＲＯＭには、ＣＰＵで実行される各種の処理プログラム等が予め記憶されている。ＲＡＭは、各種データを一時的に記憶する機能を有している。
【００５８】
固定部７２は、放射線画像撮影装置１４に更新ソフトをインストールしている場合に、凹部に収納された放射線画像撮影装置１４が抜けないように固定する機能を有している。本実施の形態の固定部７２は、ソレノイドを含み、ソレノイドのプランジャが突出されて放射線画像撮影装置１４の側面を押圧することにより放射線画像撮影装置１４を固定する。なお、本実施の形態の収納装置１６では、放射線画像撮影装置１４に対する更新ソフトのインストールが完了した場合に、収納制御部６０の制御により、固定部７２による放射線画像撮影装置１４の固定が解除される。
【００５９】
通信部６６は、有線通信及び無線通信の何れか一方が選択されて、放射線画像撮影装置１４との間で各種情報の通信を行う機能を有している。
【００６０】
記憶部６２には、更新ソフト等、各種情報が記憶される。記憶部６２の具体例としては、ＳＳＤ等が挙げられる。
【００６１】
電源回路部６４は、図示を省略した外部の電力源（商用電源等）から供給される電力に基づいて、放射線画像撮影装置１４の電源部４８を充電するための電力を生成して放射線画像撮影装置１４に供給する機能を有している。
【００６２】
次に、放射線画像撮影装置１４に更新ソフトをインストールする場合の、本実施の形態の放射線画像撮影システム１０の動作について説明する。
【００６３】
図３には、本実施の形態の放射線画像撮影システム１０における更新ソフトをインストールするためのデータ（更新ソフト）の流れを表した概念図を示す。
【００６４】
まず、本実施の形態の携帯情報端末装置１２の端末制御部２０によってソフトの更新を行うために実行される処理（以下、「端末装置処理」という）について説明する。図４には、本実施の形態の携帯情報端末装置１２の端末制御部２０によって実行される端末装置処理の流れの一例を表したフローチャートが示されている。本実施の形態の携帯情報端末装置１２では、端末制御部２０が自身のＲＯＭに記憶されているプログラムを実行することにより、端末装置処理を実行する。
【００６５】
なお、本実施の形態の携帯情報端末装置１２では、本端末装置処理を、放射線画像撮影システム１０のメンテナンスを行う場合等に、ユーザからの操作部３０を介した指示入力に応じて実行する。なお、携帯情報端末装置１２で本端末装置処理を実行するタイミングはこのタイミングに限らず、例えば、予め定められた時間毎のタイミング等であってもよい。
【００６６】
図４のステップＳ１００で端末制御部２０は、通信部３２を介して放射線画像撮影装置１４からソフトのバージョンを取得する。なお、ソフトのバージョンに代えて、放射線画像撮影装置１４がソフトを更新（インストール）した、日時を取得してもよい。
【００６７】
次のステップＳ１０２で端末制御部２０は、ソフトを更新するか否かを判断する。端末制御部２０における更新の有無の判断方法は特に限定されない。例えば、外部装置１に記憶されている対応するソフトのバージョンを取得し、外部装置１から取得したバージョンと、放射線画像撮影装置１４から取得したバージョンとを比較し、外部装置１から取得したソフトのバージョンが新しい場合にソフトを更新すると判断してもよい。また、上記ステップＳ１００で、ソフトのバージョンに代えて更新した日時を取得した場合は、外部装置１に対応するソフトが記憶された日時と、放射線画像撮影装置１４から取得した日時とを比較し、外部装置１に記憶された日時が新しい場合にソフトを更新すると判断すればよい。
【００６８】
ステップＳ１０２で端末制御部２０は、ソフトを更新しない場合は、本端末装置処理を終了する。一方、ソフトを更新する場合は、ステップＳ１０４へ移行する。
【００６９】
ステップＳ１０４で端末制御部２０は、放射線画像撮影装置１４に更新開始信号を送信する。放射線画像撮影装置１４は、更新開始信号を受信することにより、後述する撮影装置処理の実行を開始する。
【００７０】
次のステップＳ１０６で端末制御部２０は、外部装置１から上記ソフトを更新ソフトとして取得する。なお、本ステップでは、圧縮された状態の更新ソフトを取得する。取得された更新ソフトは、一旦、記憶部２２に記憶される。
【００７１】
次のステップＳ１０８で端末制御部２０は、放射線画像撮影装置１４へ、圧縮された状態の更新ソフトを、通信部３２を介して無線通信で送信する。
【００７２】
次のステップＳ１１０で端末制御部２０は、表示部２６に、更新ソフトがあることを表す情報を表示させる。この情報が表示部２６に表示されることにより、ユーザは、更新ソフトがあることを認識する。本実施の形態の放射線画像撮影システム１０では、更新ソフトがあることを認識したユーザは、ソフトを更新するために、収納装置１６に、放射線画像撮影装置１４を収納する。
【００７３】
次のステップＳ１１２で端末制御部２０は、表示部２６に、ソフトの更新の許可を要求する表示を行う。本実施の形態の放射線画像撮影システム１０では、ソフトの更新の許可は、ユーザが携帯情報端末装置１２及び放射線画像撮影装置１４のいずれか一方から行う。なお、ソフトの更新の許可は携帯情報端末装置１２及び放射線画像撮影装置１４のいずれから行ってもよい。携帯情報端末装置１２を用いてソフトの更新の許可が行われる場合は、ユーザが操作部３０を操作して、更新を許可する。一方、放射線画像撮影装置１４で更新の許可が行われる場合は、ユーザが放射線画像撮影装置１４の操作ボタン５２を操作して、更新を許可する。なお、放射線画像撮影装置１４で更新の許可が行われた場合、端末制御部２０は、放射線画像撮影装置１４から許可が有った旨を表す撮影側許可信号を、通信部３２を介して受信する。
【００７４】
次のステップＳ１１４で端末制御部２０は、ソフトの更新が許可されたか否かを判断する。端末制御部２０は、操作部３０が操作されたか否かを判断すること、及び放射線画像撮影装置１４から撮影側許可信号が受信されたか否かを判断することによりソフトの更新が許可されたか否かを判断する。いずれか一方により更新が許可されるまで、待機状態となり、ソフトの更新が許可されると肯定判断となって、ステップＳ１１６に移行する。
【００７５】
ステップＳ１１６で端末制御部２０は、操作部３０が操作されてソフトの更新が許可されたか否かを判断する。上記撮影側許可信号を受信することによりソフトの更新が許可された（放射線画像撮影装置１４でソフトの更新の許可が行われた）場合は、否定判断となりステップＳ１２０へ移行する。
【００７６】
一方、操作部３０が操作されてソフトの更新が許可された場合は、ステップＳ１１８へ移行する。ステップＳ１１８で端末制御部２０は、ソフトの更新が許可された旨を表す端末側許可信号を、通信部３２を介して放射線画像撮影装置１４に送信する。このようにして更新が許可されると、後述するように放射線画像撮影装置１４に対して収納装置１６により、更新ソフトがインストールされる。
【００７７】
そこで、次のステップＳ１２０で端末制御部２０は、放射線画像撮影装置１４に対する更新ソフトのインストールが完了したか否かを判断する。本実施の形態では、放射線画像撮影装置１４で更新ソフトのインストールが完了すると、放射線画像撮影装置１４からインストールが完了した旨を表す完了信号が携帯情報端末装置１２に対して送信される。
【００７８】
そこで、端末制御部２０は、完了信号を受信するまで、インストールが完了していないと判断して待機状態になる。一方、完了信号を受信した場合は、肯定判断となり、ステップＳ１２２へ移行する。
【００７９】
ステップＳ１２２で端末制御部２０は、表示部２６に、インストールが完了した旨を表示した後、本端末装置処理を終了する。
【００８０】
次に、本実施の形態の放射線画像撮影装置１４の撮影制御部４０によってソフトの更新を行うために実行される処理（以下、「撮影装置処理」という）について説明する。図５には、本実施の形態の放射線画像撮影装置１４の撮影制御部４０によって実行される撮影装置処理の流れの一例を表したフローチャートが示されている。本実施の形態の放射線画像撮影装置１４では、撮影制御部４０が自身のＲＯＭに記憶されているプログラムを実行することにより、撮影装置処理を実行する。
【００８１】
なお、本実施の形態の放射線画像撮影装置１４では、本撮影装置処理を、携帯情報端末装置１２から更新開始信号を受信した場合に実行する。
【００８２】
図５のステップＳ２００で撮影制御部４０は、通信部４６を介して携帯情報端末装置１２から圧縮された状態の更新ソフトを受信したか否かを判断する。具体的には、携帯情報端末装置１２が上記端末装置処理（図４参照）のステップＳ１０８の処理により無線通信で送信した圧縮された状態の更新ソフトを受信したか否かを判断する。圧縮された状態の更新ソフトを受信するまで待機状態になり、上記更新ソフトを受信した場合は肯定判断となってステップＳ２０２へ移行する。受信した更新ソフトは、一旦、記憶部４４に記憶される。
【００８３】
ステップＳ２０２で撮影制御部４０は、表示部５６に、更新ソフトがあることを表す情報を表示させる。この情報が表示部５６に表示されることにより、ユーザは、更新ソフトがあることを認識する。上述したように、本実施の形態の放射線画像撮影システム１０では、更新ソフトがあることを認識したユーザは、ソフトを更新するために、収納装置１６に、放射線画像撮影装置１４を収納する。
【００８４】
そこで次のステップＳ２０４で撮影制御部４０は、自装置が収納装置１６に収納されたか否かを判断する。撮影制御部４０は、自装置の接続部５８と、収納装置１６の接続部７８とが接続されたか否かを判断することにより、自装置が収納装置１６に収納されたか否かを判断する。自装置が収納装置１６に収納されるまで待機状態となり、自装置が収納装置１６に収納された場合は肯定判断となってステップＳ２０６へ移行する。
【００８５】
ステップＳ２０６で撮影制御部４０は、更新ソフトを、通信部４６を介して収納装置１６へ有線通信で送信する。
【００８６】
次のステップＳ２０８で撮影制御部４０は、表示部５６に、ソフトの更新の許可を要求する表示を行う。上述したように、本実施の形態の放射線画像撮影システム１０では、ソフトの更新の許可は、ユーザが携帯情報端末装置１２及び放射線画像撮影装置１４のいずれか一方から行う。放射線画像撮影装置１４で更新の許可が行われる場合は、ユーザが放射線画像撮影装置１４の操作ボタン５２を操作して、更新を許可する。なお、携帯情報端末装置１２で更新の許可が行われた場合、撮影制御部４０は、携帯情報端末装置１２から更新の許可が行われた旨を表す端末側許可信号を、通信部４６を介して受信する。
【００８７】
次のステップＳ２１０で撮影制御部４０は、ソフトの更新が許可されたか否かを判断する。撮影制御部４０は、操作ボタン５２が操作されたか否かを判断すること、及び携帯情報端末装置１２から端末側許可信号が受信されたか否かを判断することによりソフトの更新が許可されたか否かを判断する。いずれか一方により更新が許可されるまで、待機状態となり、ソフトの更新が許可されると肯定判断となって、ステップＳ２１２に移行する。
【００８８】
ステップＳ２１２で撮影制御部４０は、操作ボタン５２が操作されてソフトの更新が許可されたか否かを判断する。上記端末側許可信号を受信することによりソフトの更新が許可された場合（携帯情報端末装置１２でソフトの更新の許可が行われた場合）は、否定判断となりステップＳ２１６へ移行する。
【００８９】
一方、操作ボタン５２が操作されてソフトの更新が許可された場合は、ステップＳ２１４へ移行する。ステップ２１４で撮影制御部４０は、ソフトの更新が許可された旨を表す撮影側許可信号を、通信部４６を介して携帯情報端末装置１２に送信する。
【００９０】
次のステップＳ２１６で撮影制御部４０は、更新ソフトのインストールに関する通信を放射線画像撮影装置１４と有線通信で行う状態であるか否かを判断する。本実施の形態では、具体例として、接続部５８と収納装置１６の接続部７８とが有線通信が可能な状態で接続されているかを判断する。本実施の形態では、接続部５８と収納装置１６の接続部７８とが有線通信が可能な状態で接続されていない場合は、否定判断となってステップＳ２２０へ移行する。接続部５８と収納装置１６の接続部７８とが有線通信が可能な状態で接続されていない場合の例としては、有線通信の通信回線に不具合が発生した場合がある。なお、有線通信が可能な状態で接続されているか否かの判断方法はこれに限らず、例えば、収納装置１６との通信方法として、有線通信を選択しているか否かを判断することにより、判断するようにしてもよい。
【００９１】
一方、接続部５８と収納装置１６の接続部７８とが有線通信が可能に接続された状態である場合は、ステップＳ２１６において肯定判断となってステップＳ２１８へ移行する。
【００９２】
ステップＳ２１８で撮影制御部４０は、収納装置１６から電源電力が供給されているか否かを判断する。撮影制御部４０は、収納装置１６から電源部４８への電源電力（充電のための電力）の供給が行われていない場合は、否定判断となってステップＳ２２０へ移行する。
【００９３】
ステップＳ２２０で撮影制御部４０は、予め定められたエラー処理を実行した後、ステップＳ２１６に戻る。本実施の形態では、撮影制御部４０は、予め定められたエラー処理としてエラーとなった旨を表すエラー情報を表示部５６に表示させる処理を行う。エラー情報が表示部５６に表示されることにより、ユーザは、放射線画像撮影装置１４の接続部５８及び収納装置１６の接続部７８等の確認を行う。
【００９４】
一方、ステップＳ２１８で肯定判断となった場合は、ステップＳ２２２へ移行する。ステップＳ２２２で撮影制御部４０は、収納装置１６に、通信部４６を介して更新ソフトのインストールを許可する更新許可信号を送信する。収納装置１６は、更新許可信号を受信すると、放射線画像撮影装置１４に対して、更新ソフトのインストールを実行する。
【００９５】
そこでステップＳ２２４で撮影制御部４０は、更新ソフトのインストールが完了したか否かを判断する。本実施の形態では、放射線画像撮影装置１４に対する更新ソフトのインストールが完了すると、収納装置１６からインストールが完了した旨を表す更新完了信号が放射線画像撮影装置１４に対して送信される。
【００９６】
そこで、撮影制御部４０は、更新完了信号を受信するまで、インストールが完了していないと判断して待機状態になる。一方、更新完了信号を受信した場合は、肯定判断となり、ステップＳ２２６へ移行する。
【００９７】
ステップＳ２２６で撮影制御部４０は、表示部５６に、インストールが完了した旨を表示する。
【００９８】
次のステップＳ２２８で撮影制御部４０は、放射線画像撮影装置１４に通信部４６を介して完了信号を送信した後、本撮影装置処理を終了する。
【００９９】
次に、本実施の形態の収納装置１６の収納制御部６０によってソフトの更新を行うために実行される処理（以下、「収納装置処理」という）について説明する。本実施の形態の収納装置１６では、収納制御部６０が自身のＲＯＭに記憶されているプログラムを実行することにより、収納装置処理を実行する。
【０１００】
なお、本実施の形態の収納装置１６では、本収納装置処理を、放射線画像撮影装置１４が自装置に収納された場合として、接続部７８が放射線画像撮影装置１４の接続部５８に接続された場合に実行する。
【０１０１】
図６のステップＳ３００で収納制御部６０は、通信部６６を介して放射線画像撮影装置１４から圧縮された状態の更新ソフトを受信したか否かを判断する。具体的には、放射線画像撮影装置１４が上記撮影装置処理（図５参照）のステップＳ２０６の処理により有線通信で送信した更新ソフトを受信したか否かを判断する。更新ソフトを受信するまで待機状態になり、更新ソフトを受信した場合は肯定判断となってステップＳ３０２へ移行する。受信した更新ソフトは、一旦、記憶部６２に記憶される。
ステップＳ３０２で収納制御部６０は、受信した更新ソフトを展開する。展開された状態（圧縮されていない状態）の更新ソフトは、一旦、記憶部６２に記憶される。
【０１０２】
次のステップＳ３０４で収納制御部６０は、ソフトの更新が許可されたか否かを判断する。収納制御部６０は、放射線画像撮影装置１４から上記更新許可信号を受信したか否かを判断することによりソフトの更新が許可されたか否かを判断する。更新許可信号を受信していない場合は待機状態となり、更新許可信号を受信した場合は、ステップＳ３０６へ移行する。
【０１０３】
ステップＳ３０６で収納制御部６０は、固定部７２により放射線画像撮影装置１４を固定する。これにより、放射線画像撮影装置１４に更新ソフトのインストールを行っている最中に、接続部７８と放射線画像撮影装置１４の接続部５８とが非接続状態になる可能性を低減することができる。
【０１０４】
次のステップＳ３０８で収納制御部６０は、更新ソフトを放射線画像撮影装置１４にインストールする。具体的には、収納制御部６０は、記憶部６２に記憶させた展開後の更新ソフトを接続部７８を介して放射線画像撮影装置１４にインストールする。
【０１０５】
次のステップＳ３１０で収納制御部６０は、更新ソフトのインストールが完了したか否かを判断する。完了していない場合は待機状態となり、完了した場合は、ステップＳ３１２へ移行する。
【０１０６】
ステップＳ３１２で収納制御部６０は、更新ソフトのインストールが完了したことを表す更新完了信号を、通信部６６を介して放射線画像撮影装置１４に送信する。
【０１０７】
次のステップＳ３１４で収納制御部６０は、固定部７２による放射線画像撮影装置１４の固定を解除した後、本収納装置処理を終了する。
【０１０８】
このように本実施の形態の放射線画像撮影システム１０は、照射された放射線に応じて放射線画像を撮影する放射線画像撮影装置１４と、無線通信により放射線画像撮影装置１４に対して、放射線画像の撮影に関する情報の通信が可能な制御装置として機能する携帯情報端末装置１２と、放射線画像撮影装置１４へのソフトのインストールを行う処理及び放射線画像撮影装置１４へのデータのダウンロードを行う処理の少なくとも一方の処理の実行が可能な処理実行装置として機能する収納装置１６と、収納装置１６で行われる少なくとも一方の処理の処理時間が予め定められた処理時間以上であって、放射線画像撮影装置１４に電源電力が供給され、かつ収納装置１６が少なくとも一方の処理を有線通信で放射線画像撮影装置１４に対して実行する場合に、収納装置１６に少なくとも一方の処理を実行させる制御を行う実行制御部として機能する放射線画像撮影装置１４の撮影制御部４０と、を備える。
【０１０９】
本実施の形態の放射線画像撮影システム１０では、放射線画像撮影装置１４に更新ソフトをインストールする場合、外部装置１から携帯情報端末装置１２が取得した圧縮された更新ソフトが放射線画像撮影装置１４を介して収納装置１６に送信される。収納装置１６は、圧縮された状態の更新ソフトを展開し、接続部７８が放射線画像撮影装置１４の接続部５８と接続されており、放射線画像撮影装置１４の電源部４８に電源電力を供給している状態で、放射線画像撮影装置１４の通信部４６と有線通信により更新ソフトを放射線画像撮影装置１４にインストールする。
【０１１０】
また、本実施の形態の放射線画像撮影システム１０では、放射線画像撮影装置１４が、収納装置１６から電源部４８に電源電力が供給され、かつ、収納装置１６の通信部６６と有線通信を行う状態である場合に、収納装置１６に対して、更新ソフトのインストールを許可する。また、放射線画像撮影装置１４は、電源部４８への電源電力の供給が遮断されている場合、及び収納装置１６と有線通信が可能な状態で接続されていない状態の場合の少なくとも一方の場合は、収納装置１６に対して、更新ソフトのインストールを許可せず、予め定められたエラー処理を行う。
【０１１１】
本実施の形態では、収納装置１６が放射線画像撮影装置１４に対して更新ソフトをインストールする場合、その処理に、予め定められた処理時間以上の時間を要する。この予め定められた処理時間は、特に限定されるものではないが、更新ソフトのデータ量や、インストールの実行に関する処理内容、及び放射線画像撮影装置１４と収納装置１６との間の有線通信の通信速度等に応じて定められる。本実施の形態では、一例として、更新ソフトのデータ量が予め定められた容量以上の場合を、予め定められた処理時間以上の時間を要するものとしている。
【０１１２】
なお、予め定められた処理時間について、技師等のユーザが設定できるようにしてもよい。例えば、携帯情報端末装置１２の操作部３０からユーザが設定できるようにしてもよい。また、予め定められた処理時間は、処理の実行に要する速度を事前に測定し、通信環境に応じて通信時間を得ておき、通信環境に応じて動的に補正してもよい。また、予め定められた処理時間は、詳細を後述する放射線画像撮影装置１４のように、放射線画像撮影装置１４が充電可能なバッテリ（図１５、バッテリ４９参照）を備える場合は、バッテリの充電量や、バッテリの健康状態等に応じて補正してもよい。
【０１１３】
このように更新ソフトのインストールに予め定められた処理時間以上を要する場合、更新ソフトのインストール中に、放射線画像撮影装置１４の電源部４８に電力が供給されていないと、放射線画像撮影装置１４の電力が低下し、インストールの実行が途中で止まってしまう場合がある。また、収納装置１６が放射線画像撮影装置１４と無線通信で通信している場合、電波が途切れる等により通信が不安定になり、インストールの実行が途中で止まってしまう場合がある。
【０１１４】
これらの場合に対して本実施の形態の放射線画像撮影システム１０では、放射線画像撮影装置１４の電源部４８に収納装置１６から電源電力が供給され、かつ、放射線画像撮影装置１４が収納装置１６と有線通信を行う場合に収納装置１６が放射線画像撮影装置１４に更新ソフトのインストールを行う。
【０１１５】
従って、放射線画像撮影装置１４に対する更新ソフトのインストールに比較的長い時間を要する場合でも、安定してインストールを行うことができる。
【０１１６】
なお、本実施の形態では、放射線画像撮影装置１４の撮影制御部４０が本発明の実行制御部の一例として機能し、上述したように収納装置１６に対して、更新ソフトのインストールを許可する場合について説明したが、収納装置１６の収納制御部６０が本発明の実行制御部の一例として機能してもよい。この場合の放射線画像撮影装置１４における撮影装置処理及び収納装置１６における収納装置処理について、以下、変形例として説明する。
（変形例）
図７には、本変形例における放射線画像撮影装置１４の撮影制御部４０によって実行される撮影装置処理の流れの一例を表したフローチャートが示されている。また、図８には、本変形例における収納装置１６の収納制御部６０によって実行される収納装置処理の流れの一例を表したフローチャートが示されている。なお、携帯情報端末装置１２によって実行される端末装置処理は上述した形態（図４参照）と同様であるため、説明を省略する。
【０１１７】
図７に示したように、本変形例における撮影装置処理は、上述の撮影装置処理（図５参照）のステップＳ２１６〜Ｓ２２２の処理が削除されている点を除き、この撮影装置処理と同様の処理を行う。
【０１１８】
従って、本変形例における撮影装置処理では、ステップＳ２１４で撮影制御部４０が放射線画像撮影装置１４に撮影側許可信号を送信した後、ステップＳ２２４へ進み、撮影制御部４０は、インストールが完了したか否かを判断する。
【０１１９】
一方、図８に示したように、本変形例における収納装置処理は、上述の収納装置処理（図６参照）のステップＳ３０４に代わり、撮影装置処理（図５参照）のステップＳ２１６〜Ｓ２２０に対応する処理がステップＳ３０４Ａ〜Ｓ３０４Ｃとして新たに設けられている。
【０１２０】
図８に示したように、本変形例における収納装置処理では、ステップＳ３０２で収納制御部６０が更新ソフトを展開した後、ステップＳ３０４Ａへ移行する。ステップＳ３０４Ａで収納制御部６０は、更新ソフトのインストールに関する通信を放射線画像撮影装置１４と有線通信が可能な状態で接続されているか否かを判断する。有線通信が可能な状態で接続されていない場合は、否定判断となってステップＳ３０４Ｃへ移行する。一方、有線通信が可能な状態で接続されている場合は、ステップＳ３０４Ｂへ移行する。
【０１２１】
ステップＳ３０４Ｂで収納制御部６０は、放射線画像撮影装置１４に電源電力が供給されているか否かを判断する。電源部４８への電源電力（充電のための電力）の供給が行われていない場合は、否定判断となってステップＳ３０４Ｃへ移行する。
【０１２２】
ステップＳ３０４Ｃで収納制御部６０は、予め定められたエラー処理を実行した後、ステップＳ３０４Ａへ移行する。本変形例では、収納制御部６０は、予め定められたエラー処理としてエラーとなった旨を表すエラー情報を放射線画像撮影装置１４に送信して、放射線画像撮影装置１４の表示部５６に表示させる処理を行う。
【０１２３】
一方、ステップＳ３０４Ｂで肯定判断となった場合は、ステップＳ３０６へ移行して、収納制御部６０は、放射線画像撮影装置１４を固定部７２により固定する。
【０１２４】
このように本変形例の収納装置１６では、放射線画像撮影装置１４の電源部４８に電源電力が供給され、かつ、放射線画像撮影装置１４の通信部４６と有線通信を行う状態である場合に、収納制御部６０が更新ソフトのインストールを実行する。従って、上記実施の形態と同様に、放射線画像撮影装置１４に対する更新ソフトのインストールに比較的長い時間を要する場合でも、安定してインストールを行うことができる。
【０１２５】
なお、本実施の形態では、放射線画像撮影装置１４と収納装置１６との間の通信を無線通信及び有線通信で行う場合について説明したが、これに限らず、有線通信のみを行うようにしてもよい。このように構成することにより、収納装置１６の通信部６６は、有線通信を行うための機能のみを有すればよい（無線通信を行うための機能を有さずともよい）。そのため、収納装置１６と収納装置１６との間の通信設定が容易になる。また、通信部６６を簡易化できるため、収納装置１６を安価に構成することができる。
［第２の実施の形態］
第１の実施の形態では、放射線画像撮影装置１４が外部装置１から圧縮された状態の更新ソフトを取得する場合について説明したが、本実施の形態では、収納装置１６が外部装置１から圧縮された状態の更新ソフトを取得する場合について説明する。
【０１２６】
図９には、本実施の形態の放射線画像撮影システム１０の携帯情報端末装置１２、放射線画像撮影装置１４、及び収納装置１６の電気的な構成の一例を示すブロック図を示す。
【０１２７】
本実施の形態の放射線画像撮影システム１０の収納装置１６は、携帯情報端末装置１２から更新ソフトが有る旨の情報を受信した場合に、外部装置１から圧縮された状態の更新ソフトを取得する機能を有している。そのため、本実施の形態の収納装置１６の通信部６６は、携帯情報端末装置１２と無線通信を行い、また、外部装置１とネットワーク２を介して無線通信を行う。
【０１２８】
次に、放射線画像撮影装置１４に更新ソフトをインストールする場合の、本実施の形態の放射線画像撮影システム１０の動作について説明する。
【０１２９】
図１０には、本実施の形態の放射線画像撮影システム１０における更新ソフトをインストールするためのデータ（更新ソフト）の流れを表した概念図を示す。
【０１３０】
図１１には、本実施の形態の携帯情報端末装置１２の端末制御部２０によって実行される端末装置処理の流れの一例を表したフローチャートが示されている。
【０１３１】
図１１に示したように本実施の形態の端末装置処理は、第１の実施の形態の端末装置処理（図４参照）のステップＳ１０２とＳ１０４との間にステップＳ１０３が新たに設けられ、また、ステップＳ１０６〜Ｓ１０８の処理が削除されている他は同様の処理を行う。
【０１３２】
本実施の形態の端末装置処理では、ソフトを更新するためステップＳ１０２で端末制御部２０が肯定判断した場合、ステップＳ１０３へ移行する。ステップＳ１０３で端末制御部２０は、収納装置１６へ更新指示信号を送信した後、ステップＳ１０４へ移行する。
【０１３３】
ステップＳ１０４で端末制御部２０が、放射線画像撮影装置１４に更新開始信号を送信した後、本実施形態では、ステップＳ１１０へ移行して、端末制御部２０が、表示部２６に、更新ソフトがあることを表す情報を表示させる。
【０１３４】
一方、図１２には、本実施の形態の放射線画像撮影装置１４の撮影制御部４０によって実行される撮影装置処理の流れの一例を表したフローチャートが示されている。
【０１３５】
図１２に示したように本実施の形態の撮影装置処理は、第１の実施の形態の撮影装置処理（図５参照）のステップＳ２００が削除されており、また、ステップＳ２０２に代えてステップＳ２０２Ａが設けられている他は、同一の処理を行う。
【０１３６】
本実施の形態では、撮影装置処理を開始すると、まず、撮影制御部４０は、ステップＳ２０２Ａで表示部５６にソフトの更新を開始することを表す情報を表示させた後、ステップＳ２０４へ移行する。この情報が表示部５６に表示されることにより、ユーザは、ソフトの更新を開始することを認識する。本実施の形態の放射線画像撮影システム１０では、ソフトの更新を開始することを認識したユーザは、ソフトを更新するために、収納装置１６に、放射線画像撮影装置１４を収納する。
【０１３７】
一方、図１３には、本実施の形態の収納装置１６の収納制御部６０によって実行される収納装置処理の流れの一例を表したフローチャートが示されている。
【０１３８】
図１３に示したように本実施の形態の収納装置処理は、第１の実施の形態の収納装置処理（図６参照）のステップＳ３００に代えてステップＳ３００Ａが設けられている他は、同一の処理を行う。
【０１３９】
本実施の形態の収納装置１６は、携帯情報端末装置１２が上記端末装置処理（図１１参照）のステップＳ１０３で送信した更新指示信号を受信すると、収納制御部６０により、収納装置処理が実行される。
【０１４０】
本実施の形態では、収納装置処理を開始すると、まず、収納制御部６０は、ステップＳ３００Ａで外部装置１から更新ソフトを取得した後、ステップＳ３０２へ移行する。本実施の形態では、更新指示信号に、更新ソフトが格納されている外部装置１のリンク先が含まれており、収納制御部６０は、更新指示に基づいて、外部装置１にネットワーク２を介して無線通信で接続し、圧縮された状態の更新ソフトを取得する。
【０１４１】
このように本実施の形態の放射線画像撮影システム１０では、携帯情報端末装置１２が放射線画像撮影装置１４のソフトの更新を行うか否かを判断し、更新する場合は、収納装置１６にその更新指示信号を送信してその旨を指示する。収納装置１６は、更新指示信号に基づいて、外部装置１から更新ソフトを取得して、放射線画像撮影装置１４に対してインストールを行う。
【０１４２】
本実施の形態の放射線画像撮影システム１０においても、第１の実施の形態の放射線画像撮影システム１０と同様に、放射線画像撮影装置１４に対する更新ソフトのインストールに比較的長い時間を要する場合でも、安定してインストールを行うことができる。
［第３の実施の形態］
本実施の形態では、放射線画像撮影装置１４が電源部４８に代わり着脱可能なバッテリを備えており、放射線画像撮影システム１０が、収納装置１６に代わり放射線画像撮影装置１４のバッテリを充電する充電装置を備えている場合について説明する。
【０１４３】
まず、本実施の形態の放射線画像撮影システムの構成について説明する。図１４は、本実施の形態の放射線画像撮影システム１０の一例を示す概略構成図である。また、図１５は、本実施の形態の放射線画像撮影システム１０の携帯情報端末装置１２、放射線画像撮影装置１４、及び充電装置１８の電気的な構成の一例を示すブロック図である。
【０１４４】
図１４及び図１５に示したように、本実施の形態の放射線画像撮影システム１０は、第１の実施の形態の放射線画像撮影システム１０が備えていた収納装置１６に代えて充電装置１８を備えている。
【０１４５】
図１４及び図１５に示したように、本実施の形態の放射線画像撮影装置１４は、第１の実施の形態の放射線画像撮影装置１４が備えていた電源部４８に代えて放射線画像撮影装置１４に着脱可能なバッテリ４９を備えている。
【０１４６】
本実施の形態では、バッテリ４９及び充電装置１８が本発明の処理実行装置の一例として機能する。
【０１４７】
バッテリ４９は、接続部５９、メモリ９２、及び蓄電部９４を備えている。
【０１４８】
蓄電部９４は、充電装置１８から供給される電源電力により充電されて、電力を蓄電する。バッテリ４９は、蓄電部９４に蓄電された電力を、上述の放射線検出器４２等の駆動用の電力を要する各部に電力を供給する機能を有している。蓄電部９４を充電する場合は、放射線画像撮影装置１４からバッテリ４９が取り外されて充電装置１８の凹部に挿入される。バッテリ４９が充電装置１８に挿入されることにより、バッテリ４９の接続部５９と充電装置１８の接続部８９が接続される。本実施の形態の接続部５９及び接続部８９は、いわゆるコネクタであり、バッテリ４９が充電装置１８の凹部に挿入されて、充電装置１８の接続部８９にバッテリ４９の接続部５９が機械的に接続されることにより、充電装置１８からバッテリ４９へ電源電力が供給され、また、充電装置１８がバッテリ４９のメモリ９２にアクセス可能になる。
【０１４９】
メモリ９２は、不揮発性のメモリであり、本実施の形態では、撮影制御部４０の制御により、更新ソフトを記憶する機能を有している。
【０１５０】
また、本実施の形態の放射線画像撮影装置１４は、第１の実施の形態の放射線画像撮影装置１４と異なり、新たに固定部９０を備えている。本実施の形態では、固定部９０は、撮影制御部４０が更新ソフトのインストールを実行している場合に、バッテリ４９が外れないように固定する機能を有している。本実施の形態の固定部９０は、ソレノイドを含み、ソレノイドのプランジャが突出されてバッテリ４９の側面を押圧することによりバッテリ４９を固定する。なお、本実施の形態の放射線画像撮影装置１４では、更新ソフトのインストールが完了した場合に、撮影制御部４０の制御により、固定部９０によるバッテリ４９の固定が解除される。
【０１５１】
一方、本実施の形態の充電装置１８は、チャージャであり、バッテリ４９を充電する機能を有している。充電装置１８は、充電制御部８０、記憶部８２、電源回路部８４、及び接続部８９を備えている。充電制御部８０、記憶部８２、及び電源回路部８４は、システムバスやコントロールバス等のバス８５を介して相互に各種情報の授受が可能に接続されている。
【０１５２】
充電制御部８０は、充電装置１８の全体の動作を制御する機能を有しており、ＣＰＵ、ＲＯＭ、及びＲＡＭを備えている。ＲＯＭには、ＣＰＵで実行される各種の処理プログラム等が予め記憶されている。ＲＡＭは、各種データを一時的に記憶する機能を有している。
【０１５３】
記憶部８２には、更新ソフト等、各種情報が記憶される。記憶部８２の具体例としては、ＳＳＤ等が挙げられる。
【０１５４】
電源回路部８４は、図示を省略した外部の電力源（商用電源等）から供給される電力に基づいて、バッテリ４９の蓄電部９４を充電するための電力を生成してバッテリ４９に供給する機能を有している。
【０１５５】
次に、放射線画像撮影装置１４に更新ソフトをインストールする場合の、本実施の形態の放射線画像撮影システム１０の動作について説明する。
【０１５６】
図１６には、本実施の形態の放射線画像撮影システム１０における更新ソフトをインストールするためのデータ（更新ソフト）の流れを表した概念図を示す。
【０１５７】
本実施の形態の放射線画像撮影装置１４における撮影装置処理は、第１の実施の形態の放射線画像撮影装置１４の撮影装置処理（図４参照）と同様の処理である。本実施の形態でも第１の実施の形態と同様に、放射線画像撮影装置１４がソフトの更新の有無を判断する。ソフトを更新する場合、放射線画像撮影装置１４は、放射線画像撮影装置１４へ更新開始信号を送信（図４、Ｓ１０４）し、また、外部装置１から圧縮された状態の更新ソフトを取得（図４、Ｓ１０６）して、放射線画像撮影装置１４に更新ソフトを送信する（図４、Ｓ１０８）
一方、本実施の形態の放射線画像撮影装置１４で実行される撮影装置処理は、第１の実施の形態の１４で実行される撮影装置処理（図５参照）と異なり、第１撮影装置処理と第２撮影装置処理とが含まれる。
【０１５８】
本実施の形態の放射線画像撮影装置１４では、まず、第１撮影処理として、バッテリ４９のメモリ９２に、放射線画像撮影装置１４から受信した更新ソフトを格納する。
【０１５９】
図１７には、本実施の形態の放射線画像撮影装置１４の撮影制御部４０によって実行される第１撮影装置処理の流れの一例を表したフローチャートが示されている。図１７に示した第１撮影処理は、携帯情報端末装置１２から更新開始信号を受信すると、撮影制御部４０により実行される。
【０１６０】
図１７のステップＳ２００で撮影制御部４０は、通信部４６を介して携帯情報端末装置１２から圧縮された状態の更新ソフトを受信したか否かを判断し、上記更新ソフトを受信した場合は肯定判断となってステップＳ２０１へ移行する。
【０１６１】
ステップＳ２０１で撮影制御部４０は、受信した更新ソフトをバッテリ４９のメモリ９２に記憶させる。
【０１６２】
次のステップＳ２０２で撮影制御部４０は、表示部５６に、更新ソフトがあることを表す情報を表示させた後、本第１撮影装置処理を終了する。なお、ユーザから操作ボタン５２を介して指示が有るまで、またはバッテリ４９が取り外されるまで、本第１撮影装置処理を終了せず、表示部５６に更新ソフトがあることを表す情報を表示させ続けるようにしてもよい。
【０１６３】
この情報が表示部５６に表示されることにより、ユーザは、更新ソフトがあることを認識する。本実施の形態の放射線画像撮影システム１０では、更新ソフトがあることを認識したユーザは、ソフトを更新するために、放射線画像撮影装置１４からバッテリ４９を取り外して、充電装置１８の凹部に、バッテリ４９を挿入する。
【０１６４】
充電装置１８の凹部にバッテリ４９が挿入されることにより、充電装置１８の充電制御部８０では、充電装置処理が実行される。図１８には、本実施の形態の充電装置１８の充電制御部８０によって実行される充電装置処理の流れの一例を表したフローチャートが示されている。
【０１６５】
図１８のステップＳ４００で充電制御部８０は、更新ソフトが存在するか否かを判断する。本実施の形態の放射線画像撮影システム１０では、放射線画像撮影装置１４のソフトを更新せず、バッテリ４９の充電のみを行う場合も、充電装置１８の凹部にバッテリ４９を挿入する。そのため、本ステップでは、バッテリ４９のメモリ９２に更新ソフトが記憶されているか否かにより更新ソフトが存在するか否かを判断する。更新ソフトが記憶されていない場合は、否定判断となり、本充電装置処理を終了する。この場合充電装置１８は、バッテリ４９への充電のみを行う。
【０１６６】
一方、バッテリ４９のメモリ９２に更新ソフトが記憶されている場合は、肯定判断となり、ステップＳ４０２へ移行する。ステップＳ４０２で充電制御部８０は、バッテリ４９のメモリ９２から更新ソフトを読み出す。読み出した更新ソフトは、一旦、記憶部８２に記憶される。
【０１６７】
次のステップＳ４０４で充電制御部８０は、受信した更新ソフトを展開する。展開された状態（圧縮されていない状態）の更新ソフトは、一旦、記憶部８２に記憶される。
【０１６８】
次のステップＳ４０６で充電制御部８０は、展開した更新ソフトをバッテリ４９のメモリ９２に記憶させた後、本充電装置処理を終了する。なお、充電装置１８に表示部を設け、メモリ９２に更新ソフトを記憶させる処理が完了した場合、完了したことを表示部に表示させるようにするとよい。このように表示部に表示させることにより、更新ソフトをメモリ９２に記憶させる処理中に、バッテリ４９が充電装置１８から外されることを防止できる。
【０１６９】
このようにしてメモリ９２に展開された更新ソフトが記憶された状態のバッテリ４９は、ユーザにより、再び放射線画像撮影装置１４に装着される。
【０１７０】
放射線画像撮影装置１４にバッテリ４９に装着されることにより、放射線画像撮影装置１４の撮影制御部４０では、第２撮影装置処理が実行される。図１９には、本実施の形態の放射線画像撮影装置１４の撮影制御部４０によって実行される撮影装置処理の流れの一例を表したフローチャートが示されている。第２撮影装置処理は、第１の実施の形態の撮影装置処理と同様の処理を含むため、以下では、主に、異なる処理（ステップ）について説明する。
【０１７１】
図１９のステップＳ２０７で撮影制御部４０は、バッテリ４９のメモリ９２に更新ソフトが記憶されているか否かを判断することにより、更新ソフトが存在するか否かを判断する。上述したようにバッテリ４９を充電装置１８で充電のみ行った場合は、バッテリ４９のメモリ９２に更新ソフトが記憶されていない。更新ソフトが記憶されていない場合は、否定判断となり、本撮影装置処理を終了する。
【０１７２】
一方、バッテリ４９のメモリ９２に更新ソフトが記憶されている場合は、肯定判断となり、ステップＳ２０８へ移行する。ステップＳ２０８〜ステップＳ２１４の処理は、第１の実施の形態の撮影装置処理（図５参照）と同様である。
【０１７３】
本実施の形態の第２撮影装置処理では、ステップＳ２１４の後に、第１の実施の形態の撮影装置処理のステップＳ２１６及びＳ２１８に対応する処理として、ステップＳ２１６Ａ及びＳ２１８Ａが設けられている。
【０１７４】
ステップＳ２１４の後のステップＳ２１６Ａで撮影制御部４０は、バッテリ４９のメモリ９２にアクセスが可能な状態であるか否かを判断する。撮影制御部４０は、上記ステップＳ２０７でメモリ９２にアクセスしているが、本ステップで撮影制御部４０は、メモリ９２から更新ソフトが読み出せるようにアクセスが可能な状態であるか否かをさらに確認する。本実施の形態では、メモリ９２から更新ソフトが読み出せるようにアクセスが可能な状態ではない場合は、否定判断となってステップＳ２２０へ移行する。
【０１７５】
一方、メモリ９２から更新ソフトが読み出せるようにアクセスが可能な状態である場合は、ステップＳ２１６Ａにおいて肯定判断となってステップＳ２１８Ａへ移行する。
【０１７６】
ステップＳ２１８Ａで撮影制御部４０は、バッテリ４９の蓄電部９４に蓄電されている電力量（蓄電量）は、更新ソフトのインストールを行うのに十分であるか否かを判断する。本実施の形態では、予め更新ソフトのインストールを実行する間に消費する消費電力量を実験等により得ておき、消費電力量に基づいた閾値を設定し、蓄電部９４に蓄電されている電力量が設定した閾値以上である場合は、十分であると判断する。蓄電量が十分ではない場合は、否定判断となってステップＳ２２０へ移行する。
【０１７７】
ステップＳ２２０で撮影制御部４０は、予め定められたエラー処理を実行した後、ステップＳ２１６に戻る。
【０１７８】
一方、ステップＳ２１８Ａで肯定判断となった場合は、ステップＳ２２１へ移行する。ステップＳ２２１で撮影制御部４０は、固定部９０によりバッテリ４９を固定する。
【０１７９】
次のステップＳ２２３で撮影制御部４０は、バッテリ４９のメモリ９２から更新ソフトをダウンロードして、更新ソフトのインストールを開始する。これにより、放射線画像撮影装置１４は、収納装置１６からバッテリ４９を介して更新ソフトをダウンロードしたことになる。
【０１８０】
次のステップＳ２２５で撮影制御部４０は、更新ソフトのインストールが完了したか否かを判断する。完了していない場合は、否定判断となって待機状態になる。一方、更新ソフトのインストールが完了した場合は、肯定判断となってステップＳ２２６へ移行する。
【０１８１】
本実施の形態では、ステップＳ２２６の後、ステップＳ２２８へ移行し、その後ステップＳ２２９へ移行する。
【０１８２】
ステップＳ２２９で撮影制御部４０は、固定部９０によるバッテリ４９の固定を解除した後、本第２撮影装置処理を終了する。
【０１８３】
以上説明したように、上記各実施の形態の放射線画像撮影システム１０は、照射された放射線に応じて放射線画像を撮影する放射線画像撮影装置１４と、無線通信により放射線画像撮影装置１４に対して、放射線画像の撮影に関する情報の通信が可能な制御装置として機能する携帯情報端末装置１２と、を備える。また、放射線画像撮影システム１０は、放射線画像撮影装置１４へのソフトウエアのインストールを行う第１処理及び放射線画像撮影装置１４へのデータのダウンロードを行う第２処理の少なくとも一方の処理の実行が可能な処理実行装置として機能する収納装置１６（または充電装置１８及びバッテリ４９）を備える。さらに、放射線画像撮影システム１０は、第１処理の処理時間及び第２処理の処理時間は予め定められた処理時間以上であって、放射線画像撮影装置１４に電源電力が供給され、かつ第１処理及び第２処理の少なくとも一方の処理を有線接続を用いて実行する場合に、少なくとも一方の処理を実行させる制御を行う実行制御部として機能する撮影制御部４０と、を備える。
【０１８４】
言い換えれば、撮影制御部４０は、放射線画像撮影装置１４への電源電力の供給が遮断されている場合、及び第１処理及び第２処理の少なくとも一方の処理を無線通信を用いて実行する場合の少なくとも一方の場合は、少なくとも一方の処理の実行を禁止する制御を行う。
【０１８５】
なお、上記各実施の形態では、本発明の処理時間が予め定められた処理時間以上となる処理の一例として、放射線画像撮影装置１４に対して更新ソフトをインストールする場合の処理について説明したが、これに限定されない。例えば、放射線画像撮影装置１４で放射線画像の補正を行う場合に用いられる補正データ等の各種データを携帯情報端末装置１２や収納装置１６から放射線画像撮影装置１４にダウンロードする処理等があってもよい。この場合、例えば、放射線画像撮影装置１４は、上記の更新ソフトのインストールと同様に、補正データ等の各種データのダウンロードを行えばよい。なお、データのダウンロードとは、放射線画像撮影装置１４が予め有するデータを更新する、いわゆるアップデートを行う場合、及びデータを新規で放射線画像撮影装置１４に記憶させる場合の両方の場合を含む。アップデート行う場合の具体例として、放射線画像撮影装置１４が、撮影条件が異ならせた場合等、複数の放射線画像の画像データ（補正前の生データ）を外部の装置（コンソールやデータサーバ等）に送信し、外部の装置が複数の放射線画像の画像データに基づいて補正データを演算して、演算結果を放射線画像撮影装置１４に送信する場合が挙げられる。この場合のアップデートには、放射線画像の画像データの数にもよるが、一般的に少なくとも１〜２分を要する。なお、この場合の生データは、外部装置によるリモートメンテナンスに活用することも可能である。
【０１８６】
また、同様に、ソフトウエアのインストールとは、放射線画像撮影装置１４が予め有するソフトウエア（ファームウエア）を更新する、いわゆるアップデートを行う場合、及びソフトウエアを新規で放射線画像撮影装置１４に記憶させる場合の両方の場合を含む。
【０１８７】
従って、上記各実施の形態の放射線画像撮影システム１０によれば、放射線画像撮影装置１４に対する更新ソフトのインストールまたはデータのダウンロードに比較的長い時間を要する場合でも、安定してインストールまたはダウンロードができる。
【０１８８】
なお、比較的長い時間の具体例としては、１分を越える時間が挙げられる。例えば、上述したように、データのダウンロードには、一般的に少なくとも１分以上時間を要する。また、更新ソフトのインストールには、ファームウエアをインストールする場合、一般的に５分程度の時間を要する。
【０１８９】
更新ソフトのインストールまたはデータのダウンロードを要する放射線画像撮影装置１４のメンテナンスを行う場合、通信が不安定になったり、電力が不足したりしてメンテナンスの途中で終了してしまうと、復旧が困難になる場合がある。そのため、メンテナンスが容易に行えず、専門のサービスマン等により行われることが一般的だった。これに対して、上記各実施の形態の放射線画像撮影システム１０では、安定してインストールまたはダウンロードを行うことができるため、ユーザが容易にメンテナンスを行うことができる。そのため、放射線画像撮影装置１４のメンテナンス（サービス）にかかるコストを抑制することができる。
【０１９０】
また、上記各実施の形態の放射線画像撮影システム１０では、携帯情報端末装置１２と放射線画像撮影装置１４との間は無線通信で行っているため、各種情報の通信を行うリアルタイム性が向上する。また、有線通信に用いるコネクタの形状やケーブル等を考慮せずともよくなるため、汎用の携帯情報端末装置１２及び放射線画像撮影装置１４を放射線画像撮影システム１０として適用することができる。
【０１９１】
また、上記各実施の形態の放射線画像撮影システム１０では、収納装置１６（または充電装置１８）が圧縮された更新ソフトを展開している。そのため、放射線画像撮影装置１４は、圧縮された更新ソフトを展開するための機能を備えていなくてもよい。
【０１９２】
また、上記各実施の形態の放射線画像撮影システム１０では、携帯情報端末装置１２が外部装置１から取得した更新ソフトを圧縮した状態で、放射線画像撮影装置１４に送信している。また、第１及び第２の実施の形態では、更新ソフトを圧縮した状態で放射線画像撮影装置１４から収納装置１６に送信している。圧縮することにより、容量が小さくなった更新ソフトを送信しているため、送信時間を短くすることができ、通信の負荷を低減することができる。
【０１９３】
また、上記各実施の形態の放射線画像撮影システム１０では、携帯情報端末装置１２が更新ソフトの有無を判断して、ソフトの更新を行うか否かを判断している。そのため、放射線画像撮影システム１０では、放射線画像撮影装置１４及び収納装置１６（または充電装置１８）の構成を簡易化することができる。特に、収納装置１６では、表示部や操作部を設けなくても、放射線画像撮影装置１４に対する更新ソフトのインストールを行うことができる。
【０１９４】
なお、上記各実施の形態では、放射線画像撮影装置１４の撮影制御部４０及び収納装置１６の収納制御部６０のいずれか一方が本発明の実行制御部として機能する場合について説明したがこれに限らず、両方が実行制御部としての機能を備えていてもよい。この場合、ユーザが放射線画像撮影装置１４及び収納装置１６のいずれか一方からソフトの更新を許可した場合に、許可を受けた放射線画像撮影装置１４の撮影制御部４０及び収納装置１６の収納制御部６０のいずれか一方が実行制御部としての機能を実行すればよい。
【０１９５】
また、上記第１及び第２の実施の形態では、収納装置１６が放射線画像撮影装置１４に対して電力を供給している状態で更新ソフトのインストールを行う場合について説明したが、放射線画像撮影装置１４に電源を供給するのは、収納装置１６でなくてもよい。例えば、別の電源装置から放射線画像撮影装置１４に電力が供給されてもよい。
【０１９６】
また、上記各実施の形態の放射線画像撮影システム１０では、ユーザが携帯情報端末装置１２及び放射線画像撮影装置１４のいずれか一方から許可を行った場合に、更新ソフトのインストールを行っている。そのため、更新ソフトのインストールを適切なタイミングで行うことができる。また、インストール中にユーザが放射線画像撮影装置１４等を操作することを抑制することができる。
【０１９７】
また、上記各実施の形態の放射線画像撮影システム１０では、携帯情報端末装置１２が放射線画像撮影装置１４に更新ソフトを送信していたが、放射線画像撮影装置１４は、携帯情報端末装置１２を介さずに、直接、外部装置１から更新ソフトを取得してもよい。
【０１９８】
また、上記各実施の形態の放射線画像撮影装置１４では、電源電力が供給されている場合に、更新ソフトのインストール（またはダウンロード）を許可していたが、さらに、インストール（またはダウンロード）の実行中に、電源電力の供給が遮断された場合は、更新ソフトのインストール（またはダウンロード）を無効化してもよい。この場合「無効化」とは、インストール（またはダウンロード）を禁止することをいう。図２０には、この場合の具体例として、第１の実施の形態の放射線画像撮影装置１４で実行される撮影装置処理の流れの一例を表したフローチャートを示す。図２０に示したように、第１の実施の形態の撮影装置処理（図５参照）のステップＳ２２４において、撮影制御部２２は、インストールが完了していない場合は、ステップＳ２１８に戻り、電源電力が供給質されているか否かを判断する。電源電力が供給されている場合は、ステップＳ２２２に移行し、撮影制御部２２は、収納装置１６に更新許可信号を送信する。この場合、収納装置１６は、更新許可信号を受信している間は、更新ソフトのインストールを継続する。一方、ステップＳ２１８で否定判断となった場合は、ステップＳ２２０に移行し、撮影制御部２２は、エラー処理として、インストールの実行を禁止（停止）する処理を行う。例えば、撮影制御部２２は、収納装置１６に対して、インストールを禁止する信号を送信する。このようにインストール（またはダウンロード）の途中で電源電力の供給が遮断された場合は、放射線画像撮影装置１４が自主的にインストール（またはダウンロード）を禁止するため、不意にインストール（またはダウンロード）が中断されることが無くなる。
【０１９９】
また、放射線画像撮影装置１４に対する更新ソフトのインストールが行われている間は、放射線画像撮影装置１４に対する更新ソフトのインストールと関係ない操作を行えないように制御してもよい。
【０２００】
また、収納装置１６や充電装置１８に対するソフトのインストールを行う処理や各種処理のデータのダウンロードを上述と同様に行ってもよい。
【０２０１】
また、上記各実施の形態の放射線画像撮影装置１４が備える記憶部４４は、放射線画像撮影装置１４から着脱可能なものであってもよい。例えば、記憶部４４は、ＳＤ（Secure Digital）メモリカード（登録商標）を用いてもよい。
【０２０２】
また、被写体Ｗは、人でなくてもよく、人以外の動物や植物等の生物や、他の物体であってもよい。
【０２０３】
また、放射線画像の撮影に用いられる放射線Ｒは特に限定されるものではなく、Ｘ線やγ線等を適用することができる。
【０２０４】
その他、本実施の形態で説明した携帯情報端末装置１２、放射線画像撮影装置１４、及び収納装置１６等の構成及び動作は一例であり、本発明の主旨を逸脱しない範囲内において状況に応じて変更可能であることはいうまでもない。
【符号の説明】
【０２０５】
１  外部装置
１０  放射線画像撮影システム
１２  携帯情報端末装置
１４  放射線画像撮影装置
１６  収納装置
１８  充電装置
４０  撮影制御部
４２  放射線検出器
４６  通信部
４８  電源部
６０  収納制御部
８０  充電制御部
【図１】
0006525598.tif 000002
【図２】
0006525598.tif 000003
【図３】
0006525598.tif 000004
【図４】
0006525598.tif 000005
【図５】
0006525598.tif 000006
【図６】
0006525598.tif 000007
【図７】
0006525598.tif 000008
【図８】
0006525598.tif 000009
【図９】
0006525598.tif 000010
【図１０】
0006525598.tif 000011
【図１１】
0006525598.tif 000012
【図１２】
0006525598.tif 000013
【図１３】
0006525598.tif 000014
【図１４】
0006525598.tif 000015
【図１５】
0006525598.tif 000016
【図１６】
0006525598.tif 000017
【図１７】
0006525598.tif 000018
【図１８】
0006525598.tif 000019
【図１９】
0006525598.tif 000020
【図２０】
0006525598.tif 000021